【事件の表示】
　特願２０００−２７９２６３「遊技機」拒絶査定不服審判事件〔平成１４年　３月２６日出願公開、特開２００２−　８５７６８〕について、次のとおり審決する。
【結　論】
　本件審判の請求は、成り立たない。
【理　由】
【１】手続の経緯
　本願は、平成１２年９月１４日に出願したものであって、平成１５年５月１３日付けで拒絶査定がなされ、これに対し、同年６月５日に拒絶査定に対する審判請求がなされるとともに同年６月３０日付けで手続補正がなされたものである。
　　
　　
【２】平成１５年６月３０日付けの手続補正についての補正の却下の決定
［補正の却下の決定の結論］
　平成１５年６月３０日付けの手続補正（以下、「本件補正」という。）を却下する。
　　　　　
［理由］
〔１〕補正後の本願発明
　本件補正は、特許請求の範囲の請求項１を次のとおりに補正することを含むものである。
　「【請求項１】基板(22)と、この基板(22)を収納する基板ケース(8,8A,8B)とを備え、その基板ケース(8,8A,8B)を着脱可能に装着した遊技機において、
　前記基板ケース(8,8A,8B)は、本体ケース(15,15A,15B)と、前記本体ケース(15)を着脱自在に覆うカバーケース(16)と、前記カバーケース(16)を開放不能に本体ケース(15)に封止する複数の封止手段(45a〜45h)とを備え、
　前記封止手段(45a〜45h)の各々は、
　封止ピン(53)と、本体ケース(15)に設けられ封止ピン(53)を係止するピン係合部(59)と、そのピン係合部(59)に対向し封止ピン(53)を保持するピン保持部(54)と、カバーケース(16)とピン保持部(54)の間及び本体ケース(15)とピン係合部(59)の間の少なくとも一方に設けられた封止解除用切断部(55a〜55d,55e〜55h)とを備え、封止ピン(53)を押し込んだとき、封止ピン(53)はその先端部がピン係合部(59)に係合するとともに、ピン保持部(54)に離脱不能に係合するように構成され、
　前記基板(22)の情報を外部へ無線通信可能な情報通信手段(75a〜75d)を、少なくとも一部の複数の封止解除用切断部(55a〜55d)に埋設状に設けたことを特徴とする遊技機。」（以下、「補正発明」という。）
　　
　上記補正は、請求項１において、補正前の「情報通信手段(75a〜75d)を、・・・封止解除用切断部(55a〜55d)に設けた」を「情報通信手段(75a〜75d)を、・・・封止解除用切断部(55a〜55d)に埋設状に設けた」と限定するものであり、特許請求の範囲の減縮を目的とするものであるから、上記補正発明が、その特許出願の際に独立して特許を受けることができるものであるか（平成１５年改正前特許法第１７条の２第５項の規定において準用する同法第１２６条第４項の規定に適合するか）否かについて、以下に検討する。
　　
　　
〔２〕引用刊行物とそれに記載された事項
１．原査定における拒絶の理由で引用し、本願出願前に日本国内において頒布された刊行物である特開２０００−１２６４２０号公報（以下、「刊行物１」という。）には、遊技機用基板ケースの封止装置に関して、以下の事項が図面とともに記載されている。
（ア）「【発明の属する技術分野】本発明は、パチンコ機、アレンジボール機、雀球遊技機等の弾球遊技機又は回胴式遊技機等に使用する遊技機用基板ケースの封止装置に関するものである。」（段落【０００１】）
（イ）「・・・裏カバー5は、・・・遊技盤の裏側に着脱自在に装着されている。裏カバー5には矩形状の点検窓が形成され、その点検窓を塞ぐように、基板ケース8が上下各一対の係止爪9等を介して裏カバー5に着脱自在に装着されている。」（段落【００１１】）
（ウ）「基板ケース8は左右方向に長い矩形箱状であって、・・・矩形状のケース本体15（第１ケース体）とケース蓋体16（第２ケース体）とを開閉自在に備えると共に、その隣り合う一方の二辺に係合手段17,18を、隣り合う他方の二辺の内側に封止ユニット19,20 を夫々備え、・・・ている。そして、基板ケース8の内部の基板格納領域21に制御基板22が格納されている。
　ケース本体15は、・・・略矩形板状の下底板23と、この下底板23の一方の短辺及び長辺側から起立する長側板24,25と、他方の短辺及び長辺側から起立する短側板26,27とを一体に備えている。ケース本体15には、下底板23の内側近傍にボス部等を介して制御基板22が着脱自在に固定され、・・・ている。
　制御基板22は、ケース本体15の下底板23と反対側にＲＯＭ、その他の電子部品を有し、主に遊技盤側の遊技動作を制御するようになっている。・・・
　ケース蓋体16は、略矩形板状の上底板29と、この上底板29の一方の短辺及び長辺側から起立する長側板30,31と、他方の短辺及び長辺側から起立する短側板32,33とを一体に備え、その短側板32,33の内側に嵌合リブ34,35が形成され、この短側板32,33と嵌合リブ34,35との間にケース本体15の長側板24,25の上端側が嵌合している。・・・」（段落【００１３】〜【００１６】）
（エ）「係合手段17は基板ケース8の長手方向の一端側にあり、・・・ケース本体15の短側板26の先端から内側に屈曲形成された係合部41と、ケース蓋体16のコネクタ挿入口37の外側に突出する係合片42とを備え、係合片42を係合部41の下側に挿入して係脱自在に係合するようになっている。
　係合手段18は幅方向の一端側にあり、・・・ケース本体15の短側板の外側に長手方向に沿って突条に形成された断面三角形状の係合爪部43と、ケース蓋体16のコネクタ挿入孔38の外側に長手方向に沿って形成された長孔状の係合凹部44とを備え、係合手段17側を支点としてケース蓋体16を開閉方向に回動させたときに、係合爪部43と係合凹部44とが係脱するようになっている。
　封止ユニット19,20は、・・・基板ケース8の内部の基板格納領域21側において、各係合手段17と反対の短辺及び長辺側に夫々設けられており、ケース本体15及びケース蓋体16の側板24,25,32,33の近傍に、この側板24,25,32,33に沿って列状に配置された４個の封止手段45を備えている。・・・
　各封止ユニット19,20は、・・・ケース本体15側の離脱防止板46と、ケース蓋体16の上底板29の下側に固定された封止板47とを備え、これら離脱防止板46、封止板47及びケース蓋体16の上底板29に跨がって４個一組の封止手段45が設けられている。
　離脱防止板46は、・・・ケース本体15の長側板24,25の上部側から内側へと制御基板22と略平行に一体に突出しており、・・・封止板47は４個の封止手段45を取り囲む平面視略コ字状であって、その両端がケース蓋体16の嵌合リブ34,35に当接するように、ケース蓋体16の上底板29の下面に固着されている。」（段落【００１８】〜【００２２】）
（オ）「各封止手段45は、・・・離脱防止板46に形成された離脱防止部51と、離脱防止板46上に当接して離脱防止部51に対応する封止部52と、封止部52側から離脱防止部51に貫通して両者を分離不能に封止する封止ピン53と、封止前の封止ピン53を保持するピン保持部54と、封止部52及びピン保持部54を封止板47に一体に接続する損壊部55と、ケース蓋体16の外側から封止ピン53を結合方向に押圧操作するための操作用開口部56と、損壊部55をケース蓋体16の外側から切断する切断用開口部57とを備えている。
　各離脱防止部51は、離脱防止板46に形成された封止ピン53用の挿通スリット58と、この挿通スリット58の両側で離脱防止板46と一体に形成された一対の弾性係合部59とを備え、・・・ている。なお、離脱防止板46には、各挿通スリット58の両側に逃げ用スリット60が形成され、その隣り合うスリット58,60 間が弾性係合部59となっている。
　ピン保持部54は封止ピン53を封止前の状態で保持するためのもので、角形の枠体により構成され、封止板47とケース蓋体16の嵌合リブ34,35との間に配置されている。ピン保持部54は、その上下方向の中間に係合凸部61が相対向して設けられ、また下端部に、ケース本体15とケース蓋体16とを閉じたときに、離脱防止板46に当接するように封止部52が一体に設けられている。封止部52は、角形のピン挿通孔62を有する。
　損壊部55はニッパー等の切断具で容易に切断可能な板状であって、ピン保持部54の上部側中央と封止板47とを接続するように一体に形成されている。損壊部55の上側には、この損壊部55を切断した後に再度接合した場合に、その接合跡が判るように長手方向に山形状の突条63が形成されている。」（段落【００２４】〜【００２７】）
（カ）「封止ピン53は封止部52側から離脱防止板46の離脱防止部51側に貫通して、両者を封止状態で結合するためのもので、封止前の封止ピン53はピン保持部54内に保持されている。封止ピン53は、断面矩形状の軸部66と、軸部66の上端側の係合鍔部67と、軸部66の下端側の台形状の係合頭部68と、係合鍔部67から上側に突出する円柱状の被操作部69とを備え、適当な弾性を有する合成樹脂材料により一体に成形されている。
　係合鍔部67はピン保持部54に嵌合する角形状であって、封止前の状態では係合凸部61によりピン保持部54内に係止され、また封止状態では封止部52に上側から係合するようになっている。係合頭部68は封止前の状態では封止部52のピン挿通孔62に嵌合し、また封止状態では離脱防止部51の弾性係合部59に下側から離脱不能に係合するようになっている。」（段落【００２９】〜【００３０】）
（キ）「上記構成において、ＲＯＭ等の電子部品が装着された制御基板22を裏カバー5側に装着する場合には、先ず制御基板22を基板ケース8 内に格納し、次いで基板ケース8を係合手段17,18 と封止手段45とで封止した状態で、その基板ケース8を裏カバー5に装着する。
　基板ケース8に制御基板22を格納する場合は、先ず電子部品がケース蓋体16側となるように制御基板22をケース本体15の下底板23上に固定する。次にケース蓋体16の係合片42をケース本体15の係合部41の下側に挿入し、ケース蓋体16とケース本体15とを嵌合させて、ケース本体15の開口側をケース蓋体16で閉じる。
　するとケース蓋体16側の封止板47の封止部52が離脱防止板46の各離脱防止部51上に当接して、各封止手段45毎に封止部52と離脱防止部51とが上下に相対応するので、各封止ユニット19,20の４個の封止手段45の内、その何れかの封止手段45により基板ケース8を閉状態で封止する。・・・
　この封止に当たっては、封止ピン53がピン保持部54内にあるので、先ずケース蓋体16の操作用開口部56にドライバー等の工具73をセットし、その工具73の先端を封止ピン53の被操作突起に当てて下方に押圧する。すると封止ピン53の係合鍔部67が弾性変形によりピン保持部54の係合凸部61を通過すると共に、係合頭部68が弾性係合部59を両側に押し広げながら挿通スリット58内に嵌合する。そして封止ピン53の係合鍔部67が封止部52に当接すると、係合頭部68が挿通スリット58を通過して弾性係合部59の下側に係合するので、封止ピン53の係合鍔部67と係合頭部68とで封止部52と離脱防止部51とを上下両側から挟み、離脱防止部51で封止ピン53を離脱不能に係止する。」（段落【００３４】〜【００３７】）
（ク）「基板ケース8を封止手段45で封止した後は、損壊部55を切断具で損壊しない限り、基板ケース8の封止を解除することはできない。仮に損壊部55を切断して基板ケース8を不正に開封しても、損壊部55及び突条63に切断跡が残りその隠蔽工作が困難であるため、検査履歴と照合すれば、不正行為の事実を容易に発見できる。」（段落【００４４】）
　これら（ア）〜（ク）の記載及び図面の記載並びに当業者の技術常識によれば、刊行物１には、以下の発明が記載されているものと認められる。
　「制御基板22と、この制御基板22を格納する基板ケース8とを備え、その基板ケース8を着脱自在に装着した遊技機において、
　前記基板ケース8は、ケース本体15とケース蓋体16とを開閉自在に備え、前記ケース蓋体16を開放不能にケース本体15に封止する複数の封止手段45を備え、
　前記封止手段45の各々は、
　封止ピン53と、ケース本体15側の離脱防止板46に形成され封止ピン53を係止する弾性係合部59と、その弾性係合部59に対向し封止ピン53を保持するピン保持部54と、ケース蓋体16の上底板29の下側に固定された封止板47とピン保持部54の間に設けられた損壊部55とを備え、封止ピン53を下方に押圧したとき、封止ピン53はその係合頭部68が弾性係合部59に係合するとともに、封止ピン53の係合鍔部67と係合頭部68とで、ピン保持部54に一体に設けられた封止部52と離脱防止板46に形成された離脱防止部51とを上下両側から挟み、離脱防止部51で封止ピン53を離脱不能に係止するように構成された遊技機。」（以下、「刊行物１に記載された発明」という。）
　　
２．同じく、特開平１１−４４７号公報（以下、「刊行物２」という。）には、遊技機の制御回路装置に関して、以下の事項が図面とともに記載されている。
（ア）「そこで、本発明の目的は、制御回路基板を収容した基板ボックスすなわち制御回路装置の不正な開放を防止可能とし、検査や修理の際の開放を可能とした上で、封印部分が不正に開、封された場合に早期発見を可能とし、不正行為による被害を防止可能な遊技機の制御回路装置を提供することにある。」（段落【００１３】）
（イ）「制御回路装置17は、裏メカベース盤13の表面側（遊技機の裏面側）に取付けられ、その制御回路装置17と各種電気機器、各制御装置等とは配線コード群20〜23を介して電気的に接続される。
　・・・25は基板ボックス24のベース部材、26は同じく基板ボックス24の上蓋部材、・・・30は制御回路装置17の制御回路基板、101は制御回路基板30に実装された電子部品のうちのＲＯＭ、32は制御回路基板30の一側部に形成された配線コード群の接続領域33に設けられたコネクタ部である。
　遊技プログラムが記憶されたＲＯＭ101は、制御回路基板30のほぼ中央に配設される。」（段落【００２６】〜【００２８】）
（ウ）「制御回路基板30の一辺部・・・には、後述する重合結合部64〜67に対応する位置に、それぞれ重合結合部64〜67の状態を検出するための検出回路・・・46〜49の金属片52が突設される。それぞれ金属片52は、輪状の先端部53と脚部54とを備え、脚部54の基部が制御回路基板30に設けられた検出回路46〜49にハンダ付けされる。
　検出回路46〜49は、・・・それぞれ金属片52が部分的にあるいは全体的に切除されると（切断を含む）、抵抗値が変化して、コンパレータ55の信号がローレベルからハイレベルに切り替わるように形成される。」（段落【００３６】〜【００３７】）
（エ）「この基板ボックス24の上蓋部材26をベース部材25に対して閉じたときに対向する周壁のうち、・・・周壁38b,35b,38c,35cの所定の位置に、・・・それぞれ不正開放防止結合手段を構成する複数の重合結合部60〜63,64〜67が形成される。
　重合結合部60〜63、64〜67は、・・・上蓋部材26の周壁38b,38cから突出させた連結部（上方連結部）70の先端に上方結合部71が、ベース部材25の周壁35b,35cから突出させた連結部（下方連結部）72の先端に下方結合部73が形成される。
　・・・上方連結部70、下方連結部72は、それぞれニッパ等で切断可能に形成されており、切断される際には、金属片52の脚部54も同時に切断される。」（段落【００４０】〜【００４２】）
（オ）「この上蓋部材26とベース部材25との蝶着部40を掛け合わせ・・・、上蓋部材26を閉じる。この際、上蓋部材26とベース部材25との係止部43の突起が係止片42に嵌まって、上蓋部材26がベース部材25に係止され、位置決めされると共に、重合結合部60〜63、64〜67の各上方結合部71の係合突部77が各下方結合部73の係合受部78に嵌まり、それぞれが位置決めしながら、重合する。
　この重合状態にて、制御回路基板30より突出されている検出回路46〜49の金属片52（それぞれ重合結合部64〜67の下方結合部73および下方連結部72の上面部の溝82内に嵌められている）が、図９のようにそれぞれ重合結合部64〜67にて挾着されると共に、それぞれ金属片52の周囲を重合結合部64〜67が覆う。
　そして、重合結合部60〜63のうちの一つと、重合結合部64〜67のうちの一つとを、それぞれ上方結合部71に仮止めしてあるワンウェイネジ75を下方結合部73まで確実に締めて、結合、固着する。・・・」（段落【００５４】〜【００５６】）
（カ）「一方、不正行為として、制御回路装置17の基板ボックス24を不正に開けて、制御回路基板30のＲＯＭ101を不正なＲＯＭに交換、あるいはＲＯＭ101のデータを書き換えて、大当たりを頻繁に発生させる等の不正行為がある。
　この不正行為には、正規に固着してある重合結合部の上方連結部70と下方連結部72とを切断して、その重合結合部を取り除いて、基板ボックス24を開けることが想定されるが、これは遊技店の営業時等に直ちに発見できる。
　即ち、遊技店の営業中に、遊技機の前面枠1が開けられ、遊技機の裏面に取付けられている制御回路装置17の基板ボックス24の正規に固着してある重合結合部の上方連結部70と下方連結部72とが切断されると、その重合結合部に挾着されている検出回路の金属片52が切断されて、当該検出回路からその正規の重合結合部が切除されたことを示すハイレベルの信号が制御回路装置17に送られる。
　この際、遊技機の電源を切っていても、電源を入れると、当該検出回路からそのハイレベルの信号が制御回路装置17に送られる。
　この当該検出回路からハイレベルの信号が送られると、制御回路装置17が遊技制御を不能動化して、遊技が不可とされると共に、管理装置110側へ基板ボックス24が開封されたことが報知され、・・・るのである。」（段落【０１１６】〜【０１２０】）
　　
３．同じく、特開平１１−１１４１９７号公報（以下、「刊行物３」という。）には、遊技機に関して、以下の事項が図面とともに記載されている。
（ア）「次に、遊技制御基板ボックス87bは、遊技制御基板87aを内部に収容するボックス本体110・・・と、該ボックス本体110の蓋をするための蓋体90・・・との組付け体からなり、この組付け体が取付台150・・・を介して機構板53・・・に取付けられる。
　さらに、蓋体90は、・・・上板92と、・・・蓋枠96と、・・・導電板100とから構成されており、ボックス本体110は、・・・底板111と、・・・本体枠99とから構成されている。
　まず、蓋体90について説明する。蓋体90の一部を構成する上板92は、・・・樹脂を複数積層させて形成されており、その内部層間には、ＩＤ発信器231・・・が設けられている。ここで、ＩＤ発信器231の取付け状況を説明するための断面図を図２９に示し、さらにその別実施形態を図３０に示す。」（段落【００５９】〜【００６１】）
（イ）「まず、図２９を参照して、上板92は、上板表面部92a、・・・静電気防護メッシュ92c、上板裏面部92bが順次積層されて形成された多層構造から成る。・・・ＩＤ発信器231は、電気防護メッシュ92cを介して、上板表面部92aに形成されたＩＣチップ格納部92dと上板裏面部92bとで挟み込まれるようにして上板92内部に設けられている。
　・・・ＩＤ発信器231のメモリ（ＥＥＰＲＯＭ）内には、たとえば、遊技制御基板ボックス87bが設けられたパチンコ遊技機1に対応する遊技制御基板87aの種類を識別可能な識別情報（ＩＤコード）が記憶されており、・・・このＩＤ発信器231は、・・・各パチンコ遊技機1に対応してその外部に配設されたＩＤ識別装置250・・・からの送信要求に応じて内部に記憶されているＩＤコードをＩＤ識別装置250へ送信する。このＩＤコードを確認することにより、遊技制御基板87aが遊技制御基板ボックス87bごと不正改造されたものとすり替えられているか否かを容易に判断可能となる。・・・さらに、ＩＤ発信器231は上板92を構成する樹脂層間に設けられて・・・上板表面部92aと上板裏面部92bとの間に静電気防護メッシュ92cを介在させて加熱し圧着しているために、不正を企てる第三者が外部からＩＤ発信器231に手を加えにくくなる。このため、ＩＤ発信器231が不正改造などされることを極力防止できる。」（段落【００６２】〜【００６３】）
（ウ）「次に図３０を参照して、別実施形態について説明する。この別実施形態では、ＩＤ発信器231が上板92の表面（上板表面部92a）に貼設され、ＩＤ発信器231が容易に取り外されてしまうのを防止するためにＩＤ発信器231の上から基板名シール226が強力に貼付されている。・・・
　この別実施形態によれば、図２９に示した構成に比較して、ＩＤ発信器231の上板92への取付けが容易となる。・・・なお、基板名シール226としては剥離困難なものを用いて、さらに基板名シール226を無理に剥がした場合には、ＩＤ発信器231が破壊されてしまうように構成するのが望ましい。」（段落【００６４】〜【００６５】）
　　
４．同じく、特開平１１−２６２５７１号公報（以下、「刊行物４」という。）には、遊技機に関して、以下の事項が図面とともに記載されている。
（ア）「遊技制御基板ボックス110は、遊技制御基板112が収容される基板収容体本体111と、基板収容体本体111に遊技制御基板112を収容した状態でその上部から蓋をするための透明カバー部113とから構成されている。透明カバー部113は、・・・樹脂を複数積層させて形成されている。透明カバー部113の表面には、前述した基板名シール115が貼付されている。基板名シール115の貼付された位置に対応して透明カバー部113内部には、・・・ＩＤ発信器114が設けられている。113cは、・・・静電気防護メッシュである。透明カバー部113は、透明カバー裏面部113bの上に静電気防護メッシュ113cが積層され、静電気防護メッシュ113c上にＩＤ発信器114のグランドが接地されるようにＩＤ発信器114が載置され、さらにその上部からＩＣチップ格納部130の形成された透明カバー表面部113aが積層されて形成された多層構造から成る。・・・」（段落【００７３】）
（イ）「このＩＤ発信器114は、・・・たとえば非接触型のＩＣカ−ド内に埋め込まれて使用されるＩＣチップと同種のＩＣチップで構成されている。ＩＤ発信器114のメモリ（ＥＥＰＲＯＭ）内には、遊技制御基板ボックス110が設けられたパチンコ遊技機1に対応する遊技制御基板112の種類を識別可能な識別情報（ＩＤコード）が記憶されている。・・・ＩＤ発信器114は、・・・各パチンコ遊技機1に対応してその外部に配設されたＩＤ識別装置250・・・からの送信要求に応じて内部に記憶されているＩＤコードをＩＤ識別装置250へ送信する。このＩＤコードを確認することにより、遊技制御基板112が遊技制御基板ボックスごと不正改造されたものとすり替えられているか否かを容易に判断可能となる。・・・さらに、ＩＤ発信器114は透明カバー部113を構成する樹脂層間に設けられて・・・透明カバー表面部113aと透明カバー裏面部113bとの間に静電気防護メッシュを介在させて加熱し圧着しているために、不正を企てる第三者が外部からＩＤ発信器114に手を加えにくくなる。このため、ＩＤ発信器114が不正改造などされることを極力防止できる。」（段落【００７４】）
（ウ）「図８は、透明カバー部113の別実施形態を示す断面図である。この実施形態では、ＩＤ発信器114が透明カバー部113の表面に貼設され、ＩＤ発信器114が容易に取り外されてしまうのを防止するためにＩＤ発信器114の上から基板名シール115aが強力に貼付されている。この別実施形態によれば、・・・ＩＤ発信器114の透明カバー部113への取付けが容易となる。・・・なお、基板名シール115aとしては剥離困難なものを用いて、さらに基板名シール115aを無理に剥がした場合には、ＩＤ発信器114が破壊されてしまうように構成するのが望ましい。」（段落【００７６】）
　　
５．同じく、特開平１０−２２５５６５号公報（以下、「刊行物５」という。）には、パチンコ台遊技機のＲＯＭ差替え発見ＩＤシール及び管理ＩＤシールに関して、以下の事項が図面とともに記載されている。
（ア）「【発明の実施の形態】・・・1は、ＲＯＭ差替え発見ＩＤシールである。2は、パチンコ台遊技機における中央演算装置収納ＢＯＸAの開口部A1に接着すべく、下面に容易には剥れにくい接着剤を塗布してなる接着部2aを設けたシート状の基台である。3は、銀ペーストにて薄くリング状に形成してなるアンテナ3aに、・・・固有のＩＤ番号等の各種データを入力してなるＩＤ用集積回路3bを設けてなるデータ部である。4は、警告文等を記載してなるシート状の保護部である。」（段落【０００６】）
（イ）「上記のように形成した基台2・データ部3・保護部4を重合させて、一体的に形設したものである。・・・」（段落【０００７】）
（ウ）「上記実施例の使用例としては、このＲＯＭ差替え発見ＩＤシール1をパチンコ台遊技機における内部にＲＯＭを設けてなる中央演算装置収納ＢＯＸAの開口部A1の両側に跨ぐように接着部2a面より貼り付ける。・・・この状態で、出荷されたパチンコ台遊技機は、トラック等にてパチンコ店に運ばれるが、その途中で何者かが中央演算装置収納ＢＯＸＡの開口部A1を開こうと、ＲＯＭ差替え発見ＩＤシールを剥そうとしても剥れにくく、無理に剥そうとすれば破れてしまったり、開いた時点で開口部A1より左右に分割される。つまり、データ部3におけるアンテナ3aあるいはＩＤ用集積回路3bが切断される。その後、犯人が内部のＲＯＭを差替え、再度閉じて予め用意していたダミーの保護部を貼り付けたとしても、パチンコ店への搬入時に、データ読み取り装置・・・にてＩＤ用集積回路3bからのデータが読み取れないため、このパチンコ台遊技機は何らかの形で中央演算装置収納ＢＯＸAが開かれ、ＲＯＭ等が差替え（改ざん）られたことが分かる。」（段落【０００８】）
　　
　　
〔３〕対比・判断
１．補正発明と刊行物１に記載された発明との対比
　そこで、補正発明と刊行物１に記載された発明とを対比すると、
　刊行物１に記載された発明の「制御基板22」，「格納」，「基板ケース8」，「着脱自在」，「ケース本体15」，「ケース蓋体16」，「ケース本体15とケース蓋体16とを開閉自在に備え」，「封止手段45」，「封止ピン53」，「ケース本体15側の離脱防止板46に形成され」，「弾性係合部59」，「ピン保持部54」，「ケース蓋体16の上底板29の下側に固定された封止板47とピン保持部54の間」，「損壊部55」，「下方に押圧した」，「係合頭部68」，「封止ピン53の係合鍔部67と係合頭部68とで、ピン保持部54に一体に設けられた封止部52と離脱防止板46に形成された離脱防止部51とを上下両側から挟み、離脱防止部51で封止ピン53を離脱不能に係止する」が、
　補正発明の「基板(22)」，「収納」，「基板ケース(8,8A,8B)」，「着脱可能」，「本体ケース(15,15A,15B)」，「カバーケース(16)」，「本体ケース(15,15A,15B)と、前記本体ケース(15)を着脱自在に覆うカバーケース(16)と」，「封止手段(45a〜45h)」，「封止ピン(53)」，「本体ケース(15)に設けられ」，「ピン係合部(59)」，「ピン保持部(54)」，「カバーケース(16)とピン保持部(54)の間及び本体ケース(15)とピン係合部(59)の間の少なくとも一方」，「封止解除用切断部(55a〜55d,55e〜55h)」，「押し込んだ」，「先端部」，「ピン保持部(54)に離脱不能に係合する」にそれぞれ相当するから、両者は、
　「基板と、この基板を収納する基板ケースとを備え、その基板ケースを着脱可能に装着した遊技機において、
　前記基板ケースは、本体ケースと、前記本体ケースを着脱自在に覆うカバーケースと、前記カバーケースを開放不能に本体ケースに封止する複数の封止手段とを備え、
　前記封止手段の各々は、
　封止ピンと、本体ケースに設けられ封止ピンを係止するピン係合部と、そのピン係合部に対向し封止ピンを保持するピン保持部と、カバーケースとピン保持部の間及び本体ケースとピン係合部の間の少なくとも一方に設けられた封止解除用切断部とを備え、封止ピンを押し込んだとき、封止ピンはその先端部がピン係合部に係合するとともに、ピン保持部に離脱不能に係合するように構成された遊技機。」の点で一致し、以下の点で相違する。
＜相違点＞
　補正発明が、「基板(22)の情報を外部へ無線通信可能な情報通信手段(75a〜75d)を、少なくとも一部の複数の封止解除用切断部(55a〜55d)に埋設状に設け」ているのに対し、刊行物１に記載された発明では、封止解除用切断部（損壊部）にそのような情報通信手段を設けていない点。
　　
２．相違点についての検討
　相違点について検討するために、刊行物２をみると、刊行物２には、上記〔２〕２．（ア）〜（カ）の記載及び図面の記載並びに当業者の技術常識によれば、
　「基板ボックス24の上蓋部材26をベース部材25に対して閉じたときに対向する周壁38b,35b,38c,35cの所定位置に複数の重合結合部60〜63、64〜67が形成され、各重合結合部60〜63、64〜67は上蓋部材26の周壁38b,38cから突出する上方連結部70の先端に上方結合部71を備えると共にベース部材25の周壁35b,35cから突出する下方連結部72の先端に下方結合部73を備えてなり、上方連結部70及び下方連結部72が切断可能に形成され、
　各重合結合部64〜67に対応する位置に輪状の先端部53と脚部54とを備えた金属片52がそれぞれ突設されてそこに挾着されると共に金属片52の周囲を重合結合部64〜67が覆い、各金属片52の脚部54の基部が制御回路基板30に設けられた検出回路46〜49にハンダ付けされ、
　基板ボックス24の正規に固着された重合結合部64〜67の上方連結部70と下方連結部72とが切断されて金属片52の脚部54も同時に切断されると、検出回路46〜49からその正規に固着された重合結合部64〜67が切除されたことを示す信号が制御回路装置17に送られ、制御回路装置17が遊技制御を不能動化して遊技が不可とされると共に管理装置110側へ基板ボックス24を開封されたことが報知されるようになっており、
　基板ボックス24を不正に開けて制御回路基板30に実装され遊技プログラムが記憶されたＲＯＭ101を不正なＲＯＭに交換あるいはＲＯＭ101のデータを書き換える等の不正行為による被害を防止できるようにした、制御回路装置17が裏面に取付けられた遊技機。」という発明（以下、「刊行物２に記載された発明」という。）が記載されているものと認められ、
　これによれば、刊行物２に記載された発明には、制御回路基板に実装され遊技プログラムが記憶されたＲＯＭの情報を外部へ無線通信するものではないが、制御回路基板に設けられた検出回路に各重合結合部に挾着され且つ周囲を覆うように設けられた各金属片の脚部の基部がハンダ付けされ、それら金属片の脚部が切断されるとこれを検出回路により検出し、検出回路から管理装置側へ基板ボックスが開封されたことを報知するようにしたものであることから、制御回路基板（補正発明の「基板」に相当する。以下同様。）の状態を検出する金属片を、少なくとも一部の複数の重合結合部（封止解除用切断部）に挾着され且つ周囲を覆うように（埋設状に）設けるという不正防止技術が開示されているものということができる。
　ところで、上記刊行物２に記載された発明に開示された不正防止技術によっても、なお、補正発明の上記相違点に係る構成を充足し得ない（即ち、金属片が無線通信可能な情報通信手段とは云えない。）から、さらに検討すると、
　刊行物３には、上記〔２〕３．（ア）〜（ウ）の記載及び図面の記載並びに当業者の技術常識によれば、
　「遊技制御基板87aを内部に収容するボックス本体110と該ボックス本体110の蓋をするための蓋体90との組付け体からなり、
　蓋体90の一部を構成する上板92は上板表面部92a，静電気防護メッシュ92c，上板裏面部92bが積層されて形成され、
　ＩＤ発信器231が電気防護メッシュ92cを介して上板表面部92aに形成されたＩＣチップ格納部92dと上板裏面部92bとで挟み込まれるようにして上板92内部に設けられ、或いは、ＩＤ発信器231が上板92の上板表面部92aに貼設されその上から剥離困難な基板名シール226が強力に貼付されて基板名シール226を無理に剥がした場合にはＩＤ発信器231が破壊されてしまうように設けられ、
　ＩＤ発信器231は、そのメモリ内に遊技制御基板ボックス87bが設けられたパチンコ遊技機1に対応する遊技制御基板87aの種類を識別可能な識別情報（ＩＤコード）が記憶され、各パチンコ遊技機1に対応してその外部に配設されたＩＤ識別装置250からの送信要求に応じて内部に記憶されているＩＤコードをＩＤ識別装置250へ送信するようになっており、このＩＤコードを確認することにより遊技制御基板87aが遊技制御基板ボックス87bごと不正改造されたものとすり替えられているか否かを容易に判断可能となるようにした、遊技制御基板ボックス87bが設けられたパチンコ遊技機1。」という発明（以下、「刊行物３に記載された発明」という。）が記載され、
　また、刊行物４には、上記〔２〕４．（ア）〜（ウ）の記載及び図面の記載並びに当業者の技術常識によれば、
　「遊技制御基板112を内部に収容する基板収容体本体111と該基板収容体本体111の蓋をするための透明カバー部113とからなり、
　透明カバー部113は透明カバー裏面部113b，静電気防護メッシュ113c，透明カバー表面部113aが積層されて形成され、
　ＩＤ発信器114が静電気防護メッシュ113c上に載置されさらにその上部からＩＣチップ格納部130の形成された透明カバー表面部113aが積層されるようにして透明カバー部113内部に設けられ、或いは、ＩＤ発信器114が透明カバー部113の表面に貼設されその上から剥離困難な基板名シール115aが強力に貼付されて基板名シール115aを無理に剥がした場合にはＩＤ発信器114が破壊されてしまうように設けられ、
　ＩＤ発信器114は、そのメモリ内に遊技制御基板ボックス110が設けられたパチンコ遊技機1に対応する遊技制御基板112の種類を識別可能な識別情報（ＩＤコード）が記憶され、各パチンコ遊技機1に対応してその外部に配設されたＩＤ識別装置250からの送信要求に応じて内部に記憶されているＩＤコードをＩＤ識別装置250へ送信するようになっており、このＩＤコードを確認することにより遊技制御基板112が遊技制御基板ボックス110ごと不正改造されたものとすり替えられているか否かを容易に判断可能となるようにした、遊技制御基板ボックス110が設けられたパチンコ遊技機1。」という発明（以下、「刊行物４に記載された発明」という。）が記載され、
　さらに、刊行物５には、上記〔２〕５．（ア）〜（ウ）の記載及び図面の記載並びに当業者の技術常識によれば、
　「中央演算装置収納ＢＯＸAの開口部A1に接着すべく下面に容易には剥れにくい接着剤を塗布してなる接着部2aを設けたシート状の基台2の上に、銀ペーストにて薄くリング状に形成してなるアンテナ3aに固有のＩＤ番号等の各種データを入力したＩＤ用集積回路3bを設けてなるデータ部3を配設し、さらにその上には、警告文等を記載してなるシート状の保護部4を重合させて一体的に形設したＲＯＭ差替え発見ＩＤシール1をパチンコ台遊技機における内部にＲＯＭを設けてなる中央演算装置収納ＢＯＸAの開口部A1の両側に跨ぐように接着部2a面により貼り付けておき、
　この状態で中央演算装置収納ＢＯＸＡの開口部A1を開こうとしてＲＯＭ差替え発見ＩＤシール1を無理に剥そうとするとデータ部3におけるアンテナ3a或いはＩＤ用集積回路3bが切断され、
　その後、内部のＲＯＭを差替え再度閉じて予め用意していたダミーの保護部を貼り付けたとしても、データ読み取り装置にてＩＤ用集積回路3bからのデータが読み取れないため、パチンコ台遊技機の中央演算装置収納ＢＯＸAが開かれＲＯＭ等が差替えられた（改ざんされた）ことが分かるようにした、ＲＯＭ差替え発見ＩＤシール1が貼り付けられたパチンコ台遊技機。」という発明（以下、「刊行物５に記載された発明」という。）が記載されており、
　これによれば、刊行物３，４に記載された発明からは、遊技制御基板の識別情報（ＩＤコード）（基板の情報）を外部へ無線通信可能なＩＤ発信器（情報通信手段）を遊技制御基板ボックス（基板ケース）に埋設状に設けるという不正防止技術が把握され、また、刊行物３〜５に記載された発明からは、遊技制御基板の識別情報（ＩＤコード）或いは固有のＩＤ番号等のデータ（基板の情報）を外部へ無線通信可能なＩＤ発信器或いはＩＤ用集積回路（情報通信手段）を、遊技制御基板ボックス或いは中央演算装置収納ＢＯＸを無理に開けようとすると破壊される基板名シール或いはＲＯＭ差替え発見ＩＤシール（封止解除用切断部）に設けるという不正防止技術が把握される。
　そして、刊行物２〜５に記載された発明に開示されている遊技機の不正防止技術を刊行物１に記載された発明に適用することについては、何らの阻害要因も認めることができないから、
　補正発明の上記相違点に係る構成は、刊行物１に記載された発明における損壊部（封止解除用切断部）の部分に、刊行物２に記載された発明に開示されている制御回路基板（基板）の状態を検出する金属片を、少なくとも一部の複数の重合結合部（封止解除用切断部）に設けるという不正防止技術を適用する際に、刊行物３〜５に記載された発明に開示されている不正防止技術を考慮してこれを採用することにより、当業者が容易に想到し得たものと認められる。
　　
３．作用効果・判断
　そして、補正発明によって奏する効果も、刊行物１に記載された発明及び刊行物２〜５に記載された発明に開示されている技術から、普通に予測できる範囲内のものであって格別なものがあるとは認められないから、補正発明は、刊行物１〜５に記載された発明に基づき当業者が容易に発明をすることができたものと云わざるを得ない。
　したがって、補正発明は、特許法第２９条第２項の規定により、その特許出願の際に独立して特許を受けることができないものである。
　　
　　
〔３〕まとめ
　以上のように、本件補正は、平成１５年改正前特許法第１７条の２第５項の規定において読み替えて準用する同法第１２６条第４項の規定に違反するものであるから、同法第１５９条第１項の規定において読み替えて準用する同法第５３条第１項の規定により却下すべきものである。
　よって、上記［補正の却下の決定の結論］のとおり、決定する。
　　
　　
【３】本願発明について
〔１〕本願発明
　本願の請求項１〜４に係る発明は、平成１５年６月３０日付けの手続補正が、上記のとおり却下されたので、平成１５年２月３日付けの手続補正書により補正された明細書及び図面の記載からみて、その特許請求の範囲の請求項１〜４に記載された事項により特定される以下のとおりのものと認める。
　「【請求項１】基板(22)と、この基板(22)を収納する基板ケース(8,8A,8B)とを備え、その基板ケース(8,8A,8B)を着脱可能に装着した遊技機において、
　前記基板ケース(8,8A,8B)は、本体ケース(15,15A,15B)と、前記本体ケース(15)を着脱自在に覆うカバーケース(16)と、前記カバーケース(16)を開放不能に本体ケース(15)に封止する複数の封止手段(45a〜45h)とを備え、
　前記封止手段(45a〜45h)の各々は、
　封止ピン(53)と、本体ケース(15)に設けられ封止ピン(53)を係止するピン係合部(59)と、そのピン係合部(59)に対向し封止ピン(53)を保持するピン保持部(54)と、カバーケース(16)とピン保持部(54)の間及び本体ケース(15)とピン係合部(59)の間の少なくとも一方に設けられた封止解除用切断部(55a〜55d,55e〜55h)とを備え、封止ピン(53)を押し込んだとき、封止ピン(53)はその先端部がピン係合部(59)に係合するとともに、ピン保持部(54)に離脱不能に係合するように構成され、
　前記基板(22)の情報を外部へ無線通信可能な情報通信手段(75a〜75d)を、少なくとも一部の複数の封止解除用切断部(55a〜55d)に設けたことを特徴とする遊技機。
　【請求項２】〜【請求項４】（記載を省略する。）」（請求項１に係る発明を、以下、「本願発明」という。）
　　
　　
〔２〕引用刊行物とそれに記載された事項
　これに対し、原査定における拒絶の理由で引用し、本願出願前に日本国内において頒布された引用刊行物の記載事項は、上記【２】〔２〕に記載したとおりである。
　　
　　
〔３〕対比・判断
　本願発明は、上記【２】で検討した補正発明における「情報通信手段(75a〜75d)を、・・・封止解除用切断部(55a〜55d)に埋設状に設けた」との事項から「埋設状に」との限定事項を除外したものである。
　そうすると、本願発明の技術事項を全て含む補正発明が、上記【２】〔３〕に記載したとおり、刊行物１〜５に記載された発明に基づき当業者が容易に発明をすることができたものであるから、本願発明も、刊行物１〜５に記載された発明に基づき当業者が容易に発明できたものと云わざるを得ない。
　　
　　
〔４〕むすび
　したがって、本願発明は、刊行物１〜５に記載された発明に基づき当業者が容易に発明できたものであって、特許法第２９条第２項の規定により、特許を受けることができないものであり、本願の他の請求項に係る発明について検討するまでもなく、本願は拒絶すべきものである。
　よって、結論のとおり審決する。